(57)【要約】【課題】    携帯端末の表示部、入力部を使用して無線接続された画像処理装置を操作する際、操作手順の全体像を示してユーザ操作を支援する。【解決手段】  画像処理装置１００は、ユーザの操作内容を示す情報が埋め込まれた処理手順画像が各操作手順毎に印刷された操作シート７０を印刷し、携帯端末２００は各手順に対応した処理手順画像を撮像して解析し、解析した操作手順に対応する操作画面を携帯端末２００の表示部に表示し、操作画面に対する入力操作を検知して操作画面の種別および入力情報を近距離無線通信にて画像処理装置へ送信する。画像処理装置１００は、携帯端末２００から受信した情報に基づいて、操作シート７０に対応する処理を実行する。【選択図】  図１
2008135959.tif 000002
【特許請求の範囲】
【請求項１】
画像処理装置と、
前記画像処理装置と近距離無線通信手段により近距離無線通信可能な携帯端末と
を具備し、
前記画像処理装置は、
前記近距離無線通信手段を用いた前記携帯端末からの指示に基づき所望の処理の処理手順が複数の図形で表示され、各図形に各手順の処理の内容を示す情報が埋め込まれた処理手順画像を印刷出力する印刷出力手段
を具備し、
前記携帯端末は、
前記処理手順画像の各図形を撮像する撮像手段と、
前記撮像手段により撮像された各図形に埋め込まれた各処理の内容を示す情報を解析することにより各処理の内容を認識する認識手段と、
前記認識手段により認識された各処理の内容に基づき該処理の内容に対応する操作画面を表示する表示手段と、
前記表示手段に表示された前記操作画面に基づき前記近距離無線通信手段を用いて前記画像処理装置に対して処理指示を行う処理指示手段と
を具備する画像処理システム。
【請求項２】
前記印刷出力手段は、
複数の情報元からの画像をファクシミリ送信する処理に対応する処理手順画像を印刷出力し、
前記処理指示手段は、
情報元の選択、ファクシミリ送信の宛先の指定を含む指示を前記画像処理装置に対して行う請求項１記載の画像処理システム。
【請求項３】
前記印刷出力手段は、
複数の情報媒体から読み取った画像の印刷処理に対応する処理手順画像を印刷出力し、
前記処理指示手段は、
情報媒体の選択、印刷態様の選択を含む指示を前記画像処理装置に対して行う請求項１記載の画像処理システム。
【請求項４】
前記印刷出力手段は、
複数の画像から選択された画像を印刷する印刷処理に対応する処理手順画像を印刷出力し、
前記処理指示手段は、
印刷する画像の選択、印刷用紙の選択を含む指示を前記画像処理装置に対して行う請求項１記載の画像処理システム。
【請求項５】
前記印刷出力手段は、
前記画像処理装置の機能設定処理に対応する処理手順画像を印刷出力し、
前記処理指示手段は、
前記画像処理装置における各種機能の選択、選択された機能における設定値の入力処理を含む指示を前記画像処理装置に対して行う請求項１記載の画像処理システム。
【請求項６】
所望の処理の処理手順が複数の図形で表示され、各図形に各処理の内容を示す情報が埋め込まれた処理手順画像を印刷出力する印刷出力手段と、
前記携帯端末による前記処理手順画像の各図形に埋め込まれた各処理の内容を示す情報の読み取りに基づき該携帯端末から近距離無線通信手段を用いて送信された処理指示を受信する受信手段と、
前記受信手段で受信した処理指示に基づき所望の処理を実行する処理実行手段と
を具備する画像処理装置。
【請求項７】
所望の処理の処理手順が複数の図形で表示され、各図形に各手順の処理の内容を示す情報が埋め込まれた処理手順画像から各図形を撮像する撮像手段と、
前記撮像手段により撮像された各図形に埋め込まれた各処理の内容を示す情報を解析することにより各処理の内容を認識する認識手段と、
前記認識手段により認識された各処理の内容に基づき該処理の内容に対応する操作画面を表示する表示手段と、
前記表示手段に表示された前記操作画面から必要な情報を入力する入力手段と、
前記入力手段で入力された情報に基づき前記近距離無線通信手段を用いて前記画像処理装置に対して処理指示を行う処理指示手段と
を具備する携帯端末。
【請求項８】
機能設定処理の処理手順が複数の図形で表示され、各図形に各手順の処理の内容を示す情報が埋め込まれた処理手順画像から各図形を撮像する撮像手段と、
前記撮像手段により撮像された各図形に埋め込まれた各処理の内容を示す情報を解析することにより各処理の内容を認識する認識手段と、
前記認識手段により認識された各処理の内容に基づき該処理の内容に対応する操作画面を表示する表示手段と、
前記表示手段に表示された前記操作画面から必要な情報を入力する入力手段と、
前記入力手段で入力された情報に基づき所望の機能設定処理を実行する処理実行手段と
を具備する携帯端末。
【発明の詳細な説明】
【技術分野】
【０００１】
本発明は、画像処理システムおよび画像処理装置および携帯端末に関する。
【背景技術】
【０００２】
画像処理装置の表示部、操作部の替わりに、携帯端末の表示部、操作部を使用して画像処理装置を操作する技術として、特許文献１に記載された「印字装置」が開示されている。
【０００３】
この特許文献１の発明は、ホストコンピュータを使用せずに、記憶媒体上に記録された画像データを直接読み込んで印刷する印字装置に、携帯端末を有線にて接続し、接続した携帯端末の操作部、表示部を使用することによる利用者にわかりやすい画像処理装置のユーザインターフェースを提供する。
【特許文献１】特開平０８-１０１７８５号公報。
【発明の開示】
【発明が解決しようとする課題】
【０００４】
本発明は、操作手順の全体像と、各手順における操作内容を示す情報が埋め込まれた画像が印刷された操作シートから、操作手順に従って各手順の画像を携帯端末で撮像し、撮像した画像を解析することにより対応する手順のユーザ操作画面を携帯端末の表示部に表示し、操作画面に対する入力操作の内容を近距離無線通信にて画像処理装置へ送信して画像処理装置にて入力操作に対応する処理を実行する、あるいは、操作画面に対する入力操作にて携帯端末に対する機能設定処理を行うことができる画像処理システムおよび画像処理装置および携帯端末を提供することを目的とする。
【課題を解決するための手段】
【０００５】
上記目的を達成するために、請求項１の発明の画像処理システムは、画像処理装置と、画像処理装置と近距離無線通信手段により近距離無線通信可能な携帯端末とを具備し、画像処理装置は、所望の処理の処理手順が複数の図形で表示され、各図形に各手順の処理の内容を示す情報が埋め込まれた処理手順画像を、近距離無線通信手段を用いた携帯端末からの指示に基づき印刷出力する印刷出力手段を具備し、携帯端末は、処理手順画像の各図形を撮像する撮像手段と、撮像手段により撮像された各図形に埋め込まれた各処理の内容を示す情報を解析することにより各処理の内容を認識する認識手段と、認識手段により認識された各処理の内容に基づき該処理の内容に対応する操作画面を表示する表示手段と、表示手段に表示された操作画面に基づき近距離無線通信手段を用いて画像処理装置に対して処理指示を行う処理指示手段とを具備する。
【０００６】
また、請求項２の発明は、請求項１の発明の画像処理システムにおいて、印刷出力手段は、複数の情報元からの画像をファクシミリ送信する処理に対応する処理手順画像を印刷出力し、処理指示手段は、情報元の選択、ファクシミリ送信の宛先の指定を含む指示を画像処理装置に対して行う。
【０００７】
また、請求項３の発明は、請求項１の発明の画像処理システムにおいて、印刷出力手段は、複数の情報媒体から読み取った画像の印刷処理に対応する処理手順画像を印刷出力し、処理指示手段は、情報媒体の選択、印刷態様の選択を含む指示を画像処理装置に対して行う。
【０００８】
また、請求項４の発明は、請求項１の発明の画像処理システムにおいて、印刷出力手段は、複数の画像から選択された画像を印刷する印刷処理に対応する処理手順画像を印刷出力し、処理指示手段は、印刷する画像の選択、印刷用紙の選択を含む指示を画像処理装置に対して行う。
【０００９】
また、請求項５の発明は、請求項１の発明の画像処理システムにおいて、印刷出力手段は、画像処理装置の機能設定処理に対応する処理手順画像を印刷出力し、処理指示手段は、画像処理装置における各種機能の選択、選択された機能における設定値の入力処理を含む指示を画像処理装置に対して行う。
【００１０】
また、請求項６の発明の画像処理装置は、所望の処理の処理手順が複数の図形で表示され、各図形に各処理の内容を示す情報が埋め込まれた処理手順画像を印刷出力する印刷出力手段と、携帯端末による処理手順画像の各図形に埋め込まれた各処理の内容を示す情報の読み取りに基づき該携帯端末から近距離無線通信手段を用いて送信された処理指示を受信する受信手段と、受信手段で受信した処理指示に基づき所望の処理を実行する処理実行手段とを具備する。
【００１１】
また、請求項７の発明の携帯端末は、所望の処理の処理手順が複数の図形で表示され、各図形に各手順の処理の内容を示す情報が埋め込まれた処理手順画像から各図形を撮像する撮像手段と、撮像手段により撮像された各図形に埋め込まれた各処理の内容を示す情報を解析することにより各処理の内容を認識する認識手段と、認識手段により認識された各処理の内容に基づき該処理の内容に対応する操作画面を表示する表示手段と、表示手段に表示された操作画面から必要な情報を入力する入力手段と、入力手段で入力された情報に基づき近距離無線通信手段を用いて画像処理装置に対して処理指示を行う処理指示手段とを具備する。
【００１２】
また、請求項８の発明の携帯端末は、機能設定処理の処理手順が複数の図形で表示され、各図形に各手順の処理の内容を示す情報が埋め込まれた処理手順画像から各図形を撮像する撮像手段と、撮像手段により撮像された各図形に埋め込まれた各処理の内容を示す情報を解析することにより各処理の内容を認識する認識手段と、認識手段により認識された各処理の内容に基づき該処理の内容に対応する操作画面を表示する表示手段と、表示手段に表示された操作画面から必要な情報を入力する入力手段と、入力手段で入力された情報に基づき所望の機能設定処理を実行する処理実行手段とを具備する。
【発明の効果】
【００１３】
本発明における請求項１の発明の画像処理システムによれば、画像処理装置は、所望の処理の処理手順が複数の図形で表示され、各図形に各手順の処理の内容を示す情報が埋め込まれた処理手順画像を近距離無線通信を用いた携帯端末からの指示に基づき印刷することができ、携帯端末は、処理手順画像の各図形を撮像して各図形に埋め込まれた各処理の内容を示す情報を解析することにより各処理の内容を認識し、認識した各処理の内容に基づき該処理の内容に対応する操作画面を表示し、表示した操作画面から近距離無線通信にて画像処理装置に対して処理指示を行うことができる。
【００１４】
また、請求項２の発明の画像処理システムによれば、画像処理装置は、複数の情報元からの画像をファクシミリ送信する処理に対応する処理手順画像を近距離無線通信を用いた携帯端末からの指示に基づき印刷出力し、携帯端末は、複数の情報元からの画像をファクシミリ送信する処理手順画像の各図形を撮像して各図形に埋め込まれた各処理の内容を示す情報を解析することにより各処理の内容を認識し、認識した各処理の内容に基づき該処理の内容に対応する操作画面を表示し、表示した操作画面から情報元の選択、ファクシミリ送信の宛先の指定を含む指示を近距離無線通信にて画像像処理装置に行うことができる。
【００１５】
また、請求項３の発明の画像処理システムによれば、画像処理装置は、複数の情報媒体から読み取った画像の印刷処理に対応する処理手順画像を近距離無線通信を用いた携帯端末からの指示に基づき印刷出力し、携帯端末は、複数の情報媒体から読み取った画像の印刷処理に対応する処理手順画像を撮像し、各図形に埋め込まれた各処理の内容を示す情報を解析することにより各処理の内容を認識し、認識した各処理の内容に基づき該処理の内容に対応する操作画面を表示し、表示した操作画面から情報媒体の選択、印刷態様の選択を含む指示を近距離無線通信にて画像処理装置に行うことができる。
【００１６】
また、請求項４の発明の画像処理システムによれば、画像処理装置は、複数の画像から選択された画像を印刷する印刷処理に対応する処理手順画像を近距離無線通信を用いた携帯端末からの指示に基づき印刷出力し、携帯端末は、複数の画像から選択された画像を印刷する印刷処理に対応する処理手順画像を撮像して、各図形に埋め込まれた各処理の内容を示す情報を解析することにより各処理の内容を認識し、認識した各処理の内容に基づき該処理の内容に対応する操作画面を表示し、表示した操作画面から印刷する画像の選択、印刷用紙の選択を含む指示を近距離無線通信にて画像処理装置に行うことができる。
【００１７】
また、請求項５の発明の画像処理システムによれば、画像処理装置は、画像処理装置の機能設定処理に対応する処理手順画像を近距離無線通信を用いた携帯端末からの指示に基づき印刷出力し、携帯端末は、画像処理装置の機能設定処理に対応する処理手順画像を撮像して、各図形に埋め込まれた各処理の内容を示す情報を解析することにより各処理の内容を認識し、認識した各処理の内容に基づき該処理の内容に対応する操作画面を表示し、表示した操作画面から画像処理装置における各種機能の選択、選択された機能における設定値の入力処理を含む指示を画像処理装置に対して行うことができる。
【００１８】
また、請求項６の発明の画像処理装置によれば、画像処理装置は、所望の処理の処理手順が複数の図形で表示され、各図形に各処理の内容を示す情報が埋め込まれた処理手順画像を近距離無線通信を用いた携帯端末からの指示に基づき印刷出力し、処理手順画像の各図形に埋め込まれた各処理の内容を示す情報の携帯端末による読み取りに基づき携帯端末から近距離無線通信にて送信された処理指示を受信し、受信した処理指示に基づき所望の処理を実行することができる。
【００１９】
また、請求項７の発明の携帯端末によれば、携帯端末は、所望の処理の処理手順が複数の図形で表示され、各図形に各手順の処理の内容を示す情報が埋め込まれた処理手順画像から各図形を撮像し、撮像した各図形に埋め込まれた各処理の内容を示す情報を解析することにより各処理の内容を認識し、認識した各処理の内容に基づき該処理の内容に対応する操作画面を表示し、表示された操作画面から必要な情報を入力して、入力された情報に基づき近距離無線通信にて画像処理装置に対して処理指示を行うことができる。
【００２０】
また、請求項８の発明の携帯端末によれば、携帯端末は、機能設定処理の処理手順が複数の図形で表示され、各図形に各手順の処理の内容を示す情報が埋め込まれた処理手順画像から各図形を撮像し、撮像した各図形に埋め込まれた各処理の内容を示す情報を解析することにより各処理の内容を認識し、認識した各処理の内容に基づき該処理の内容に対応する操作画面を表示し、表示された操作画面から必要な情報を入力して、入力された情報に基づき所望の機能設定処理を実行することができる。
【発明を実施するための最良の形態】
【００２１】
本発明の画像処理装置、携帯端末を配した画像処理システムの実施例について添付図面を参照しながら説明する。
【００２２】
図１は、本発明の画像処理システムの概略構成を示した図である。
【００２３】
図１において、画像処理システムは、画像処理装置１００と、画像処理装置１００と近距離無線通信を行う携帯端末２００を具備して構成される。
【００２４】
画像処理装置１００は、所望の処理の処理手順を複数の図形で表示して操作手順の全体像をユーザに対して示すとともに、各図形に各手順の処理の内容を示す情報が埋め込まれた処理手順画像が印刷された操作シート７０を、近距離無線通信を用いた携帯端末２００からの指示に基づき印刷出力する機能を有する。
【００２５】
携帯端末２００は、操作シート７０の各操作手順に埋め込まれた処理手順画像を操作手順に沿って撮像し、撮像した処理手順画像を解析することにより各操作手順の内容を判別し、判別された操作手順に対応する操作画面を携帯端末２００の表示部に表示し、表示された操作画面の内容と、操作画面の指示に対するユーザの入力情報を近距離無線通信にて画像処理装置へ送信する。
【００２６】
画像処理装置１００は、近距離無線通信にて携帯端末２００から送信された入力情報と操作画面の内容を示す情報を、無線通信部１０９で受信して対応する処理を実行する。
【００２７】
具体的には、携帯端末２００による操作シート７０の撮像操作によって、画像処理装置１００の記憶メディア装着部１０５に装着された記憶メディア３０から画像データを直接読み取って写真４０を印刷するメディアプリント処理、原稿読取部１０２にセットされた原稿４１の読み取り画像、あるいは、携帯端末２００から近距離無線通信にて受信した画像を、ファクシミリ通信網６１を介して指定先の装置に送信するファクシミリ送信処理、画像処理装置１００、あるいは、携帯端末２００に対する機能設定処理を行うことができる。
【００２８】
図２は、図１に示した画像処理装置１００、携帯端末２００それぞれの機能構成を示すブロック図である。
【００２９】
画像処理装置１００は、画像処理装置１００全体を統括して制御する画像処理装置主制御部１０１に、原稿読取部１０２、画像処理部１０３、操作表示部１０４、記憶メディア装着部１０５、画像印刷部１０６、ファクシミリ通信部１０７、ネットワークインタフェース１０８、無線通信部１０９、画像処理装置記憶部１１０がそれぞれ接続した構成にて制御される。
【００３０】
原稿読取部１０２は、ＡＤＦ（Auto Document Feeder）、あるいは、プラテンガラスにセットされた原稿４１の画像読み取り手段を含み、ファックス送信、コピー、画像読み取り処理において、画像処理装置１００にセットされた原稿４１の画像読み取り制御を行う。
【００３１】
操作表示部１０４は、画像処理装置１００の操作画面を表示する表示部と、カーソルキー、テンキー、機能別に設けられた各種操作ボタンを含む入力部とを有する。
【００３２】
記憶メディア装着部１０５は、画像データが記録されたメモリカード等の記憶メディア３０を装着して、記憶メディア３０に対するデータの読み取り、書き込み処理を行う。
【００３３】
画像印刷部１０６は、原稿読取部１０２にて読み取った原稿４１の画像を用紙に印刷する、あるいは、記憶メディア３０から読み取った画像を光沢紙などに印刷する印刷手段である。
【００３４】
さらに、  画像印刷部１０６は、携帯端末２００に画像の撮像操作と携帯端末２００の操作部２０５、表示部２０６をユーザインターフェースとして画像処理装置１００や携帯端末２００を操作するための各種操作シート７０の印刷処理を行う。
【００３５】
ファクシミリ通信部１０７は、ファクシミリ通信網６１を介して画像データを送受信するための通信制御を行う。
【００３６】
無線通信部１０９は、携帯端末２００との間にて近距離無線通信を行う。
【００３７】
画像処理装置記憶部１１０は、画像処理装置１００によるファックス機能、コピー機能、印刷機能、画像読み取り機能を提供するための各種制御プログラム、制御情報を記憶し、操作シート７０を印刷するための操作シート印刷データｄ１２、操作シート７０を使用して画像処理装置１００を携帯端末２００にて操作するための制御プログラム、画像処理装置１００の機能設定情報を記録して管理する画像処理装置機能設定ファイルｄ１０を記憶する。
【００３８】
画像処理部１０３は、原稿読取部１０２にて読み取った原稿４１の画像、あるいは、記憶メディア装着部１０５にて記憶メディア３０から読み取った画像に対する、解像度変換、色変換、ノイズ除去、画像の圧縮、圧縮された画像の解凍等、各種画像処理を行う。
【００３９】
携帯端末２００は、携帯端末２００全体を統括して制御する携帯端末主制御部２０１に、近距離無線通信部２０２、携帯端末記憶部２０３、画像読み取り部２０４、操作部２０５、表示部２０６、記憶メディア装着部２０７がそれぞれ接続した構成にて制御される。
【００４０】
近距離無線通信部２０２は、画像処理装置１００との間にて近距離無線通信を行う。
【００４１】
携帯端末記憶部２０３は、携帯端末２００の制御プログラム、制御情報、画像データ、ファックス送信用文書ファイルｄ３、電話帳データｄ４、携帯端末２００に対する各種機能設定情報を記録した携帯端末機能設定ファイルｄ９を記憶する。
【００４２】
画像読み取り部２０４は、操作シート７０に印刷されたＱＲコード、バーコード等の所定の規格、あるいは、電子すかし処理にて情報が埋め込まれた処理手順画像を撮像して読み取り、撮像した処理手順画像を解析して、処理手順画像に埋め込まれた情報を読み取る。
【００４３】
操作部２０５は、携帯端末２００に対して文字、数字、記号などのデータ入力処理を行う各種入力ボタンを有した入力装置である。
【００４４】
表示部２０６は、携帯端末２００の各種操作画面を表示する以外に、操作シート７０に印刷された各手順の処理手順画像を携帯端末２００にて撮像し、携帯端末２００から近距離無線通信にて画像処理装置１００を操作するための各種操作画面を表示する表示装置である。
【００４５】
記憶メディア装着部２０７は、装着された携帯端末装着用記憶メディア２０８に記録されたデータの読出し、データの書き込み処理を行う。
【００４６】
操作シート７０を使用して携帯端末２００から画像処理装置１００を操作する第１の例として、ファックス操作シート７１によるファックス送信操作について説明する。
【００４７】
図３は、ファックス操作シート７１の例を示す印刷イメージである。
【００４８】
ファックス操作シート７１は、ファックス操作シート７１を使用した携帯端末２００によるファックス送信の開始要求操作を画像処理装置１００に通知するための操作をユーザに示すとともに、ファックス開始要求操作の内容を示す情報が埋めこまれた処理手順画像が印刷された操作開始通知部（図３の３１）、ファクシミリ通信にて送信する画像の取得方法として、ＡＤＦあるいはプラテンガラスにセットされた原稿４１の画像を読み取る方法、あるいは、近距離無線通信にて携帯端末２００から画像データを受信して取得する方法のいずれかをユーザ選択させる画像取得先の選択操作をユーザに示すとともに、画像取得先の識別情報が埋め込まれた処理手順画像がそれぞれの取得先毎に印刷された画像リソース選択部（図３の３２）、ファックス番号の入力操作をユーザに示すとともに、ファックス番号の入力操作の内容を示す情報が埋め込まれた処理手順画像が印刷されたファックス番号入力操作部（図３の３３）、ファックス送信処理の開始操作をユーザに示すとともに、ファックス送信開始操作の内容を示す情報が埋め込まれた処理手順画像が印刷されたファックス送信開始指示部（図３の３４）をそれぞれ有する。
【００４９】
図４は、ファックス操作シート７１を使用したファックス送信処理の動作を示したフローチャートである。
【００５０】
携帯端末２００は、ファックス操作シート７１に印刷されたファックス操作開始通知部（図３の３１）の撮像操作を検知すると（Ｓ１０１ＹＥＳ）、ファックス操作シート７１を使用した画像処理装置１００に対するファックス送信操作を行う制御プログラムを起動し、送信する画像の取得先として、画像リソース選択部（図３の３２）に印刷された処理手順画像を選択して撮像するユーザ操作を促す操作画面を表示部２０６に出力する。
【００５１】
画像の読み取り先として、プラテンガラスあるいはＡＤＦのいずれかが選択された場合（Ｓ１０２でプラテン、ＡＤＦ）、携帯端末２００は、選択された読み取り手段の識別情報と、原稿４１の画像読み取り処理を指示する制御情報を、近距離無線通信部２０２を介して近距離無線通信にて画像処理装置１００に送信する（Ｓ１０３）。
【００５２】
一方、画像の取得先として携帯端末２００が選択された場合（Ｓ１０２で携帯端末２００）、携帯端末２００は、記憶メディア装着部２０７に装着された携帯端末用記憶メディア２０８からファックス送信用文書ファイルｄ３を読み出して表示部２０６に一覧表示し（Ｓ１０４）、ユーザによる操作部２０５の操作にてファックス送信用文書ファイルｄ３の選択操作が行われた場合（Ｓ１０５ＹＥＳ）、携帯端末２００は、携帯端末用記憶メディア２０８から読み出したファックス送信用文書ファイルｄ３を近距離無線通信部２０２を介して画像処理装置１００に送信する（Ｓ１０６）。
【００５３】
画像読み取り部２０４によるファックス番号入力操作を示す画像の読取操作を検知すると（Ｓ１０７ＹＥＳ）、携帯端末２００は、ファックス番号の入力操作をユーザに指示する操作画面を表示部２０６に表示する（Ｓ１０８）。
【００５４】
ユーザは、携帯端末記憶部２０３に記憶された電話帳データｄ４を呼び出して所望のファックス番号を選択する、あるいは、操作部２０５からファックス番号を直接入力する操作にてファックス番号の入力操作を行うと（Ｓ１０９ＹＥＳ）、入力されたファックス番号を示すデータを携帯端末記憶部２０３の一時記憶領域に保存する（Ｓ１１０）。
【００５５】
画像読み取り部２０４によるファックス送信開始を示す画像の読取操作を検知すると（Ｓ１１１ＹＥＳ）、携帯端末２００は、ステップＳ１１０の処理にて携帯端末記憶部２０３に保存したファックス番号を、近距離無線通信部２０２を介して画像処理装置１００に送信し、ファックス送信の開始を画像処理装置１００に指示する（Ｓ１１２）。
【００５６】
なお、ファックス番号の入力を行う場合に、画像処理装置１００に登録されているファックス番号の一覧データを携帯端末２００が近距離無線通信部２０２を介して受信し、ユーザが受信したファックス番号の一覧から選択して入力するようにしてもよい。
【００５７】
次に、操作シート７０を使用した携帯端末２００にて画像処理装置１００を操作する第２の例として、メディアプリント操作シート７２、および、インデックスプリント操作シート７３を使用した写真４１の印刷処理について説明する。
【００５８】
図５は、画像処理装置１００が記憶メディア３０に記録された画像データを直接読み取って印刷するメディアプリントを行うためのメディアプリント操作シート７２およびインデックスプリント操作シート７３の例を示した印刷イメージである。
【００５９】
メディアプリント操作シート７２は、画像処理装置１００が、コンパクトフラッシュ（登録商標）、メモリスティック、スマートメディア、携帯端末用の記憶メディアに記録された画像データを読み取って印刷するメディアプリントの印刷操作のユーザ手順が記録された操作シートであり、メディアプリントの開始操作の内容を示す情報を埋め込んだ画像が印刷された処理開始操作部（図５の５１）、画像データの取得先として、画像データが記録された記憶メディアの選択操作の内容と、選択した記憶メディアの種別情報が埋め込まれた処理手順画像が個別に印刷されたメディア選択操作部（図５の５２）、メディアから読み取った画像データを印刷する方法として、印刷可能な画像のサムネイル画像と、各画像のサムネイル画像の識別情報を埋め込んだ処理手順画像を印刷し、ユーザが印刷したい画像を画像処理装置１００に通知して印刷を指示するためのインデックスプリント操作シート７３を使用した印刷方法、あるいは、記憶メディアに記録された画像データの写真をＤＰＯＦ（Digital Print Order Format）印刷する印刷方法のいずれかをユーザに選択させる印刷方法指定操作部（図５の５３）を有する。
【００６０】
さらに、印刷方法としてインデックス印刷を行う場合は、図５のインデックスプリント操作シート７３を印刷して使用し、インデックスプリント操作シート７３は、印刷可能な画像のサムネイル一覧と、各サムネイル画像の識別情報を埋め込んだ画像がそれぞれのサムネイル画像と組になって印刷されたインデックス画像選択操作部（図５の５５）、選択したインデックス画像を印刷する用紙サイズ、用紙種の選択操作をユーザに示すとともにその操作の内容を示す情報が埋め込まれた処理手順画像が印刷された出力用紙選択操作部（図５の５６）、選択した画像の確認操作をユーザに示すとともに、確認操作の内容を示す情報が埋め込まれた処理手順画像が印刷された出力画像確認操作部（図５の５７）、選択したインデックス画像の識別情報、出力用紙の情報を通知して画像の印刷開始を画像処理装置１００に指示する操作をユーザに示すとともにその操作の内容を示す情報が埋め込まれた処理手順画像が印刷された印刷開始操作部（図５の５８）、さらに、上記いずれかの操作を途中で中止する操作をユーザに示すとともに、中止操作の内容を示す情報が埋め込まれた処理手順画像が印刷された中止操作部（図５の５９）を有する。  
操作シート７０を使用した携帯端末２００にて画像処理装置１００を操作する第２の例として、メディアプリント操作シート７２、および、インデックスプリント操作シート７３を使用した印刷処理の動作を図６のフローチャートに示して説明する。
【００６１】
携帯端末２００は、メディアプリント操作シート７２の処理開始部（図５の５１）に印刷された処理手順画像を画像読み取り部２０４にて読み取ると、画像データの読取先となるリソースの選択操作をユーザに選択させる操作画面を表示部２０６に表示し、メディアプリント操作シート７２にてメディアの種別を示す画像の読取操作を画像読み取り部２０４にて検知すると（Ｓ２０１ＹＥＳ）、携帯端末２００は、選択された記憶メディアの種別を通知するデータを近距離無線通信部２０２を介して画像処理装置１００に送信する（Ｓ２０２）。
【００６２】
画像処理装置１００は、携帯端末２００から通知された記憶メディアの種別に基づいて記憶メディア装着部１０５へのメディア装着操作を監視する（Ｓ２０３）。
【００６３】
記憶メディア３０が装着され（Ｓ２０４）、メディアプリント操作シート７２の印刷方法選択部（図５の５２）にてインデックスプリントを指示する操作手順の画像が選択して読み取られた場合（Ｓ２０５ＹＥＳ）、携帯端末２００は、インデックスプリント操作シート７３の印刷を指示するデータを画像処理装置１００に送信する（Ｓ２０６）。
【００６４】
インデックスプリント操作シート７３のサムネイル印刷部（図５の５３）におけるインデックス画像の読み取りが画像読み取り部２０４にて行われると（Ｓ２０７ＹＥＳ）、携帯端末２００は、読み取った画像から取得したインデックス情報を携帯端末記憶部２０３の一時蓄積領域に保存する（Ｓ２０８）。なお、選択したインデックスの画像の印刷開始操作が行われるまでの間は（Ｓ２０９ＮＯ）、インデックスの選択操作を監視する。
【００６５】
携帯端末２００は、インデックスプリント操作シート７３の印刷開始操作部（図５の５８）の画像読み取り操作を画像読み取り部２０４に検知すると（Ｓ２０９ＹＥＳ）、携帯端末記憶部２０３に一時的に保存したインデックス画像の識別情報、各画像の印刷枚数、印刷出力設定を含む情報を近距離無線通信部２０２を介して画像処理装置１００に送信し、インデックスプリントの処理開始を画像処理装置１００に指示する（Ｓ２１０）。
【００６６】
一方、メディアプリント操作シート７２の印刷方法選択部（図５の５３）において、ＤＰＯＦ印刷による印刷方法を示す画像が画像読み取り部２０４にて読み取られた場合（Ｓ２０５ＮＯ）、携帯端末２００は、画像処理装置１００に対し、ステップＳ１０２にて指定した記憶メディアからの画像データを読み取りＤＰＯＦ印刷処理の開始を指示するデータを、近距離無線通信部２０２を介して画像処理装置１００に送信する（Ｓ２１１）。
【００６７】
次に、操作シート７０を使用した携帯端末２００にて画像処理装置１００を操作する第３の例として、画像処理装置機能設定操作シート７４を使用した画像処理装置１００に対する機能設定操作について説明する。
【００６８】
図７は、画像処理装置機能設定操作シート７４の例を示す印刷イメージである。
【００６９】
画像処理装置機能設定操作シート７４は、画像処理装置１００に対する各種の機能設定を行う操作メニューの全体構成が印刷されるとともに、印刷された各メニューのタイトル付近に、メニューの階層位置を示す情報とメニューの識別情報を埋め込んだ画像がそれぞれ印刷される。
【００７０】
次に、画像処理装置機能設定操作シート７４を使用した画像処理装置１００の機能設定操作の動作を図８のフローチャートに示して説明する。
【００７１】
携帯端末２００は、画像読み取り部２０４にて読み取られた画像処理装置機能設定操作シート７４のメニュー画像を解析し（Ｓ３０１）、ユーザが選択したメニューの識別情報を判別し（Ｓ３０２）、判別したメニューの識別情報に対応する操作画面を表示部２０６に表示する（Ｓ３０３）。
【００７２】
携帯端末２００は、表示部２０６に表示した操作画面にて設定する設定値の入力操作および確定操作を操作部２０５にて検知し、機能設定メニューの識別情報と、ユーザが入力した設定値を、近距離無線通信部２０２を介して画像処理装置１００に送信し（Ｓ３０４）、画像処理装置１００は、無線通信部１０９を介して携帯端末２００から受信した機能設定メニューの識別情報、設定値に基づいて、画像処理装置記憶部１１０に記録した画像処理装置機能設定ファイルｄ１０を更新する（Ｓ３０５）。
【００７３】
次に、操作シート７０を使用した携帯端末２００による携帯端末２００に対する機能設定操作について説明する。
【００７４】
図９は、携帯端末機能設定操作シート７５の例を示す印刷イメージである。
【００７５】
携帯端末機能設定操作シート７５は、携帯端末２００の機能設定を行う階層化された操作メニューの全体像が印刷され、印刷された各メニューには、メニューの階層位置、メニューの識別情報を示す情報を埋め込んだ画像がそれぞれ印刷される。
【００７６】
図１０は、携帯端末機能設定操作シート７５を使用した携帯端末２００の機能設定処理の動作を示したフローチャートである。
【００７７】
携帯端末２００は、携帯端末機能設定操作シート７５に印刷された所望のメニュー画像を画像読み取り部２０４にて読み取り（Ｓ４０１）、読み取ったメニューの階層位置とメニューの識別情報を特定し（Ｓ４０２）、特定したメニューの識別情報に対応する機能設定の操作画面を表示部２０６に表示する（Ｓ４０３）。
【００７８】
表示部２０６に表示した操作画面に対する機能設定の入力操作が表示操作部２０５にて行われると（Ｓ４０４）、携帯端末記憶部２０３にて管理されている携帯端末機能設定ファイルｄ９の該当する設定値を入力された設定値に更新する（Ｓ４０５）。
【産業上の利用可能性】
【００７９】
本発明は、携帯端末の操作部、表示部を使用して画像処理装置を無線接続にて操作する画像処理システムおよび画像処理装置および携帯端末に利用可能である。
【図面の簡単な説明】
【００８０】
【図１】本発明の画像処理システムの概要を示す図。
【図２】図１に示した画像処理装置、携帯端末の構成をそれぞれ示すブロック図。
【図３】ファックス操作シートを使用した場合の携帯端末によるファックス送信処理の例を示すフローチャート。
【図４】ファックス操作シートの例を示す図。
【図５】メディアプリント操作シートおよびインデックスプリント操作シートの例を示す図。
【図６】メディアプリント操作シートおよびインデックスプリント操作シートを使用した写真印刷の処理の動作を示すフローチャート。
【図７】画像処理装置機能設定操作シートの例を示す図。
【図８】画像処理装置機能設定操作シートを使用した画像処理装置に対する機能設定処理の動作を示すフローチャート。
【図９】携帯端末機能設定操作シートの例を示す図。
【図１０】携帯端末機能設定操作シートを使用した携帯端末に対する機能設定処理の動作を示すフローチャート。
【符号の説明】
【００８１】
１００  画像処理装置
１０１  画像処理装置主制御部
１０２  原稿読取部
１０３  画像処理部
１０４  操作表示部
１０５  記憶メディア装着部
１０６  画像印刷部
１０７  ファクシミリ通信部
１０９  無線通信部
１１０  画像処理装置記憶部
ｄ１１  操作シート管理情報
ｄ１２  操作シート印刷データ
ｄ３  ファックス送信用文書ファイル
ｄ４  電話帳データ
ｄ９  携帯端末機能設定ファイル
ｄ１０  画像処理装置機能設定ファイル
２００  携帯端末
２０１  携帯端末主制御部
２０２  近距離無線通信部
２０３  携帯端末記憶部
２０４  画像読み取り部
２０５  操作部
２０６  表示部
２０７  記憶メディア装着部
２０８  携帯端末装着用記憶メディア
３０  記憶メディア
４０  写真
４１  原稿
６１  ファクシミリ通信網
７０  操作シート
７１  ファックス操作シート
７２  メディアプリント操作シート
７３  インデックスプリント操作シート
７４  画像処理装置機能設定操作シート
７５  携帯端末機能設定操作シート
【図１】
2008135959.tif 000003
【図２】
2008135959.tif 000004
【図３】
2008135959.tif 000005
【図４】
2008135959.tif 000006
【図５】
2008135959.tif 000007
【図６】
2008135959.tif 000008
【図７】
2008135959.tif 000009
【図８】
2008135959.tif 000010
【図９】
2008135959.tif 000011
【図１０】
2008135959.tif 000012